(57)【要約】【課題】　シール部材積層による基板間ギャップの変化を防止し、表示品質を維持することを目的とする。【解決手段】　電極部を有する第１基板２と、第１基板２と対向する第２基板３と、第２基板３の基台上に設けられた複数の着色層８３からなる着色層群と、第１基板２と第２基板３を着色層群の周囲を囲んで接着するシール部材４と、第１基板２と第２基板間３に保持された液晶とを有する液晶表示器において、シール部材のコーナ部付近に位置する着色層群のコーナ部を欠落させる。【選択図】　図１
2004046266.tif 000002
【特許請求の範囲】
【請求項１】
電極部を有する第１基板と、第１基板と対向する第２基板と、第２基板の基台上に設けられた複数の着色層からなる着色層群と、第１基板と第２基板を前記着色層群の周囲を囲んで接着するシール部材と、第１基板と第２基板間に保持された液晶とを有する液晶表示器において、シール部材のコーナ部付近に位置する着色層群のコーナ部を欠落させたことを特徴する液晶表示器。
【請求項２】
前記着色層上に保護膜層が形成されていることを特徴とする請求項１に記載の液晶表示器。
【発明の詳細な説明】
【技術分野】
【０００１】
　本発明はカラーフィルタを備える液晶表示器に関する。
【背景技術】
【０００２】
　カラー表示を行うためにカラーフィルタを有する液晶表示器においては、基板間を接着するとともに、液晶を封入するためのシール部材をカラーフィルタの外周を囲むように配置している（実開平１−７０３２５号公報参照）。従来は、シール部材とフィルタの間隔が充分確保されていたので、接着に際してシール部材の幅が多少広がったとしても、シール部材がフィルタ上に重なることはなく、シール部材が基板間隔に変化を与えることはなかった。しかしながら、近年の小型化、特に表示領域を囲む額縁と呼ばれる領域の狭化要求の高まりに伴い、シール部材とフィルタの間隔も狭くする必要が生じ、これに伴い接着時に広がったシール部材がフィルタ上に重なり、それによって基板間隔が変化し、色合いが変化したり縞模様が観察されるなど、表示品質の低下が生じることとなった。特に、基板の角部分においては、シール部材がＲを有して湾曲配置されるので、他の部分に比べてフィルタとの間隔が狭くなり、それに伴って上記した表示品質の低下を招きやすいことが判った。
【特許文献１】実開平１−７０３２５号公報
【発明の開示】
【発明が解決しようとする課題】
【０００３】
　本発明は上記の点を考慮して成されたもので、基板間接着に際して幅が広がるシール部材がフィルタ上に積層されることを防止し、狭額縁化を行っても表示品質を維持することができる液晶表示器を提供することを目的とする。
【課題を解決するための手段】
【０００４】
　本発明は、電極部を有する第１基板と、第１基板と対向する第２基板と、第２基板の基台上に設けられた複数の着色層からなる着色層群と、第１基板と第２基板を着色層群の周囲を囲んで接着するシール部材と、第１基板と第２基板間に保持された液晶とを有する液晶表示器において、シール部材のコーナ部付近に位置する着色層群のコーナ部を欠落させたことを特徴する液晶表示器。また、前記着色層上に保護膜層が形成されていることを特徴とする
【発明の効果】
【０００５】
　本発明によれば、シール部材のコーナ部付近の着色層を欠落させたので、着色層とシール部材のコーナ部の間隔を広げることができ、接着によってはみ出したシ−ル部材が存在しても着色層上への積層を阻止し、基板間隔が変化するのを防止することができる。これにより不所望の着色や縞模様が観察されることがなく、表示品位を良好に保つことができる。
【発明を実施するための最良の形態】
【０００６】
　図１は本発明実施例の液晶表示器の要部断面図、図２はフィルタ基板の平面図、図３は図２の要部拡大図である。１は、所定の間隔を有する第１の基板２と第２の基板３の周囲をシール部材４によって接着し、前記基板２，３間に液晶分子が９０〜２７０度にツイストした構造を持つネマティック液晶５を充填し、前後に偏光板６と必要に応じて位相差板７を有した、液晶表示器である。この液晶表示器１の下面には必要に応じて面照明装置を配置して液晶表示装置を構成することができる。
【０００７】
　前記第１の基板２は、ガラスなどの透明な方形基台２１上略中央部に複数の透明電極２２を平行に整列させて備える電極部を配置し、この電極部の上に必要に応じて配向膜２３を形成して構成している。
【０００８】
　前記第２の基板３は、図２に示すような方形のフィルタ基板８上に前記電極と直交する複数の透明電極３１を備える電極部を配置し、この電極部の上に必要に応じて配向膜３２を形成して構成している。
【０００９】
　前記フィルタ基板８は、ガラスなどの透明な方形基台８１上にクロムやニッケル等の光遮断機能を有する金属製、若しくは光吸収性を有する黒色樹脂製の全体的に略方形を成す遮光層８２と、この遮光層８２を覆うように設けられたカラー表示を行うための着色層８３からなる略方形のフィルタ部８４を形成し、必要に応じてこのフィルタ部８４を覆う保護膜層８５を形成して構成している。このフィルタ部８４は、その所望コーナ部、好ましくは４隅のコーナ部に、前記シール部材４との間隔を維持するため、図３のようにその一部を欠落させて欠落領域８６を形成している。
【００１０】
　前記遮光層８２は、画素構成用の複数の開口を有して基台８１の中央に形成された表示領域８２ａと、この表示領域８２ａを囲む輪郭領域８２ｂとを有し、前記欠落領域８６と対応する４つの角部分８２ｃには、前記欠落領域８６、より好ましくは欠落領域８６及びシール部材４と対応させて所定の曲率を有して丸みを持たせている。また、着色層８３は、例えば、染色基材塗布、露光、現像、染色固着を３回繰り返し行う染色法を用いて形成することができ、Ｒ，Ｇ，Ｂの３色に着色された着色要素８３ｒ，８３ｇ，８３ｂを、前記表示領域８２ａの開口に対応させて配置するとともに、前記表示領域８２ａ及び輪郭領域８２ｂの全面を覆うように順次ストライプ状に配置して構成されるが、顔料分散法、電着法、印刷法を用いて形成することもできる。
【００１１】
　第２の基板３の周囲には、図３のフィルタ基板８上に一点鎖線で示す位置に、エポキシ系熱硬化型樹脂製あるいは紫外線硬化型樹脂製のシール部材４がスクリーン印刷などによって例えば幅０．３ｍｍ、厚さ３０μｍ程度で形成されるが、シール部材４は基板２、３の接着時に所定の厚み（基板間隔とほぼ同じ１０μｍ前後）に押圧され、当初の配置から内外に０．３ｍｍ程度はみ出すので、前記フィルタ部８４と所定の間隔（好ましくはコーナ部分で０．６ｍｍ、辺部分で２．１ｍｍ程度）を有して前記フィルタ部８４を囲むように配置される。
【００１２】
　前記フィルタ部８４のコーナ部、好ましくは４つのコーナ部に形成された欠落領域８６は、内側にはみ出したシール部材４がフィルタ部８４上に積層されて基板間ギャップが不均一になるのを防止するものであり、遮光層８２上に位置する着色層８３も欠落させて構成してもよいが、遮光層８２をクロムなどの光反射性の高いもので構成した場合は、着色層８３の欠落で遮光層８２が露出すると不要な光反射が生じて画質低下を招くことが懸念されるので、遮光層８２からはみ出た着色層８３の一部あるいは全部を欠落させて欠落領域８６を形成するのが画質低下を防止する点で好ましい。
【００１３】
　着色層８３の欠落は、染色法あるいは顔料分散法のようにフォトマスクを用いて露光する工程を含む場合は、フォトマスクに欠落領域８６と対応して所定のマスキングを施しておくことにより行うことができ、露光工程において３色共通のフォトマスクを用いれば、図３のようにステップ状の欠落となる。その他の方法によっても、着色層８３の形成に際して、遮光層８２からはみ出ないように着色層８３の形状を設定しておくことにより、フィルタ部８４のコーナ部、好ましくは４つのコーナ部に遮光層８２及び着色層８３を欠落させた領域を設けることができる。
【００１４】
　この欠落領域８６は、フィルタ基板８（その基台８１）の各角Ｃに近接した前記フィルタ部８４のコーナ部分、即ちフィルタ部８４（その着色層８３）の最外周を形成する４つの辺の内の隣接する２辺の交差点Ｐの内側領域に、角Ｃとそれに近接した着色層８３とを結ぶ最短距離をＬ１、角Ｃとそれに近接した着色層８３の最外周を形成する辺が交差する前記点Ｐとを結ぶ最短距離をＬ２、角Ｃとそれに近接した遮光層８２とを結ぶ最短距離をＬ３としたとき、Ｌ３≧Ｌ１＞Ｌ２の関係を満たすように形成されている。図３に示す場合は、Ｌ３＝４．２ｍｍ，Ｌ２＝３．８ｍｍ，Ｌ１＝４．０ｍｍに設定し、フィルタ部８４とシール部材４の初期間隔を、欠落領域８６がない場合（フィルタ部がＰ点まで位置していた場合）に０．４ｍｍであたのを、欠落領域８６を設けることにより、０．６ｍｍに拡大することができた。尚、欠落領域８６形成に際して、着色層８３を遮光層８２からはみ出さないように重ねて形成した場合は、Ｌ１＝Ｌ３に設定することができる。
【００１５】
　このように、シール部材４との間隔が最も狭くなりやすいフィルタ部８４の４隅に欠落領域８６を形成すると、その部分の厚み増加が抑えられ、第１，第２基板２，３を接着する際に、内側にはみ出すシール部材４の積層による基板間ギャップの増加、それに伴う表示品質の低下を防止して表示品位を維持することができる。
【図面の簡単な説明】
【００１６】
【図１】本発明実施例の液晶表示器の要部断面図である。
【図２】同実施例のフィルタ基板の平面図である。
【図３】図２の要部拡大図である。
【符号の説明】
【００１７】
１  液晶表示器
２  第１の基板
３  第２の基板
４  シール部材
５  液晶
８  フィルタ基板
８２  遮光層
８３  着色層
８４  フィルタ部
８６  欠落領域
【図１】
2004046266.tif 000003
【図２】
2004046266.tif 000004
【図３】
2004046266.tif 000005